(57)【要約】      （修正有）【課題】常時、商品や広告物等の展示方向を簡単かつ瞬時に変更または調整でき、更にその運搬、保管が容易で、重量商品の陳列、展示を可能にした展示装置を提供する。【解決手段】展示台の支柱の下端に球体１を連結し、この球体１の過半部を筒部材２内に回動可能かつ脱抜不可能に収納し、この筒部材２内で球体１を圧縮ばね３により支持させ、筒部材２の他端内部にばね支持ネジ４をネジ込んで、圧縮ばね３の他端部を支持させ、このばね支持ネジ４の下端に、支持台１３をナット１５のねじ込みにより取り付ける取付ネジ５を設け、この取付ネジ５の下端面にばね支持ネジ４をねじ込むための回動操作溝１２を設けた構成である。【選択図】図２
0003148381.tif 000002
【実用新案登録請求の範囲】
【請求項１】
展示台を支持する支柱の下端に連結される球体と、
この球体の過半部を回動可能かつ脱抜不可能に上端部に収納する筒部材と、
この筒部材内に収納されて一端部で前記球体を支持する圧縮ばねと、
前記筒部材の他端内部にねじ込まれて前記圧縮ばねの他端部を支持し、前記圧縮ばねの反発力により前記球体を前記筒部材状態の上端方向へ付勢させるばね支持ネジと、
このばね支持ネジの下端に連設されて、支持台をナットのねじ込みにより取り付ける取付ネジと、
この取付ネジの下端面に刻設され、前記ばね支持ネジをねじ込み操作するための回動操作溝と、
を備えることを特徴とする展示装置。
【考案の詳細な説明】
【技術分野】
【０００１】
本考案は、商品や広告などの商品案内文書等を展示台に載せて展示するのに用いる展示装置に関する。
【背景技術】
【０００２】
従来から、商品を載置して展示したり、商品に関する広告やキャンペーン情報を表示したりするのに展示装置が使用されている。この展示装置は、例えば紙製やプラスチック製の板材を折り曲げ可能に形成され、支持台の正面受板に設けられた両側板を折り畳み、側板先端に設けられた差し込み片を上部に設けられた支持板に嵌合することで、支持台の設定角度を適度に変更可能とする構成である（特許文献１参照）。
従って、この構成によれば陳列棚の角度や設置高さの変化に合わせて、商品陳列台の角度調整ができ、商品を魅力的な角度で顧客に見せることができる。
【特許文献１】特開２００２-０４５２８１号公報
【考案の開示】
【考案が解決しようとする課題】
【０００３】
しかしながら、かかる従来の展示装置にあっては、支持台の角度調整のために前記両側板の折り込み、差し込み片の前記支持板に対する嵌合などの手作業が必要であり、展示対象である商品や広告物などの向きが常に一定であり、これらの展示の向きを変えるには、陳列台上で展示装置全体の向きを変える必要があった。
【０００４】
このため、展示装置の角度（仰角）を変える度になされる折り畳みや嵌合のための前記手作業が煩わしく、全体が板材の組み立て品であるために変形し易いという不都合があった。また、変形し易いために展示台の向きを変える作業が煩わしく、かかる組み立て品の展示装置の運搬、収納、管理が面倒であった。さらに、湿気を含んだり雨に濡れたりすると、容易に変形または破損してしまうという不都合があった。
【０００５】
本考案は前記のような従来の問題点に着目してなされたものであり、常時、商品や広告物等の展示方向を簡単かつ瞬時に変更または調整でき、更にその運搬、保管が容易で、重量商品の陳列、展示をも行うことができる展示装置を得ることを目的とする。
【課題を解決するための手段】
【０００６】
前記目的達成のために、本考案に係る展示装置は、展示台を支持する支柱の下端に連結される球体と、この球体の過半部を回動可能かつ脱抜不可能に上端部に収納する筒部材と、この筒部材内に収納されて一端部で前記球体を支持する圧縮ばねと、前記筒部材の他端内部にねじ込まれて前記圧縮ばねの他端部を支持し、前記圧縮ばねの反発力により前記球体を前記筒部材状態の上端方向へ付勢させるばね支持ネジと、このばね支持ネジの下端に連設されて、支持台をナットのねじ込みにより取り付ける取付ネジと、この取付ネジの下端面に刻設され、前記ばね支持ネジをねじ込み操作するための回動操作溝と、を備えることを特徴とする。
【０００７】
この構成により、球体は筒部材の上端部内で圧縮ばねに支持された状態で回動自在であり、その球体に取り付けられた展示台の向きを、工具等を用いないで簡単かつ迅速に変更することが可能になる。また、圧縮ばねは展示物の重量、展示台の大きさ、支柱の長さなどに対応させて任意の反発力を有するものを使用する。従って、展示台の重量およびこの展示台に載置される商品等の重量が大きい場合でも、その重量を受けて展示台が傾むくことを回避できる。
【０００８】
また、このばね支持ネジによる圧縮ばねの反発力の微調整は、そのばね支持ネジ下面に設けられた回動操作溝にドライバなどの冶具を利用して回動することにより、容易かつ迅速に行うことができる。更に、ばね支持ネジ下端の取付ネジを、支持台の支柱の取付部材である支持台に形成された取付孔に貫通させ、その支持台を挟むように取付ネジ端にナットをねじ込むことで、取付部材に対する前記展示台の支持、固定を容易、迅速に実施するこができる。
【考案の効果】
【０００９】
本考案によれば、商品や広告物等の展示方向を簡単かつ瞬時に変更または調整でき、更にその運搬、保管が容易で、重量商品の陳列、展示を行うことができる。
【考案を実施するための最良の形態】
【００１０】
以下に、本考案の実施形態による展示装置を、図面を参照して詳細に説明する。なお、本実施形態では、展示台が支柱の先端に書見台形の板体を取り付けたものとして説明してある。必ずしもこの形に限定されるものではなく、様々な形態のものを採用することができる。
【００１１】
図１は、本考案の実施形態による展示装置を示す斜視図である。図２は、本考案の実施形態による展示装置の要部を示す縦断面図である。図３は、図１における球体および筒部材を示す縦断面図である。図４は、図１におけるばね支持ネジを一部破断して示す正面図である。
【００１２】
本実施形態の展示装置は、球体１と、筒部材２と、圧縮ばね３と、ばね支持ネジ４と、取付ネジ５とを備えて構成される。このばね支持ネジ４と取付ネジ５とは後述のように一体である。これらのうち、球体１は周面が円滑処理されている。この球体１は外周面の一部にネジ軸６を一体に有し、このネジ軸６のネジ部６ａに展示台７の支柱８の基端が螺合されている。従って、この展示台７はねじ軸６を介して球体１に支持されている。
【００１３】
支柱８には、展示台７が固定的に取り付けられまたはボールジョイントなどのジョイント部材を介して回動可能に取り付けられる。展示台７は平板７ａの下端部に、所定長に亘ってＬ字状に屈曲した滑り止め片７ｂを連設したものからなる。とされている。平板７ａには商品などを載置したり、広告物を掲示したりするとともに、滑り止め片７ｂはその商品や広告物などが滑り落ちないように支持する。
【００１４】
筒部材２は、金属製や合成樹脂製の円筒体であり、その上端開口縁に内径方向に向かって係止縁９が一体に突設されている。従って、球体１は、ねじ軸６を前記上端開口を通して筒部材２の外方に臨ませるように筒部材２内に収納され、係止縁９によって筒部材２の外へ脱抜することはない。また、この球体１は、筒部材２内において係止縁９の内側で円滑回動可能となるように、後述の圧縮ばねによって支承される。筒部材２内周の下半部にはばね支持ネジ４をねじ込むための雌ネジ１０が形成されている。
【００１５】
圧縮ばね３はコイルばねであり、筒部材２内においてその上端に球体１を円滑回動可能に支持するとともに、その反発力により前記係止縁９方向に球体１を付勢する。ばね支持ネジ４は、図４に示すような形態をなし、前記雌ネジ１０に螺合されて、圧縮ばね３の下端を支持する。このばね支持ネジ４の雌ネジ１０に対するねじ込み量を変化させることによって、この圧縮ばね３および係止縁９に対する球体１の回動抵抗、つまり展示台７の保持力を調整可能にすることができる。
【００１６】
このばね支持ネジ４は上端面の中心部に圧縮ばね３の位置を安定化させる(ブレ止めする)突起１１が設けられている。一方、このばね支持ネジ４の下端面の中心部には、短めの前記取付ネジ５が突設されている。この取付ネジ５下面の中心部には、ドライバなどの冶具の先端が挿入できる回動操作溝１２が刻設されている。この回動操作溝１２にドライバ等の先を差し込んで回動することにより、雌ネジ１０に対するばね支持ネジ４のねじ込み量を調整することができる。
【００１７】
かかる構成になる展示装置は、次のようにして組み付けられる。まず、図３に示すように、筒部材２内にこれの下端から球体１を挿入する。このときネジ軸６はこの筒部材２の上部開口から筒部材２外へ露出させる。次に、この筒部材２の下端から筒部材２内に圧縮ばね３を挿入し、この圧縮ばね３上に球体１を支承させる。
【００１８】
続いて、筒部材２下端の雌ネジ１０に対し、突起１１を上にしてばね支持ネジ４をねじ込んでいく。このねじ込み操作は、前述のように回動操作溝１２にドライバの先端部を係合して回動することによって行われる。このとき、突起１１は圧縮ばね３の下部がブレるのを防止するため、圧縮ばね３の反発力は球体１を垂直上方へ付勢する。
【００１９】
このばね支持ネジ４のねじ込み量を調整することにより、筒部材２上端における球体１の回動操作抵抗を任意の大きさに簡単に微調整することができる。このようにして、筒部材２に対する展示台７の取り付けが行われる。
【００２０】
次に、取付ネジ５を取付部材である支持台１３に予め形成された取付孔１４内に、図２に示すように貫通させる。このため、その取付ネジ５の下端は支持台１３の下方に露出するため、この露出した取付ネジ５にナット１５をねじ込んで支持台１３を取付孔１４周辺で挟むように締め付ける。これにより筒部材２は支持台１５上に垂直方向に起立し、この起立状態が堅固に保持される。この結果、図１に示すような展示装置が完成することとなる。
【００２１】
このように構成された、展示装置にあっては、球体１が圧縮ばね３の反発力を受けて筒部材２内において所定の摩擦抵抗を以って保持されているため、この球体１から延びる支柱８または展示台７の操作により、展示台７を、球体１を支点として軽快に操作方向へ変位させることができる。この操作方向は、球体１がユニバーサルジョイント構造を持つところから、筒部材２の基部周辺を除く略 全方位である。
【００２２】
従って、回動操作によって展示台７の傾きおよび方向を簡単、迅速に調整することができ、商品の陳列、展示や広告表示等が顧客の注意を惹きやすい視野内に簡単に合わせることができる。また、展示装置を構成する球体１や筒部材２などの各部材はすべて金属材料や合成樹脂などの剛質材料を用いて構成されるため、所定の強度が得られるほか、雨や湿気に対しても変形や破損する心配がなく、しかも運搬や在庫管理が容易になる。
【００２３】
なお、展示台７、支持台１３、支柱８などの形状は任意の形状、サイズとすることが可能であり、かつ球体１と筒部材２からなる回動部を１箇所または複数箇所に組み入れることにより、商品や広告物等の展示方向を有効に変えることができる。
【００２４】
このように、本実施形態による展示装置は、展示台７の支柱８の下端に球体１を連結し、この球体１の過半部を筒部材２内に回動可能かつ脱抜不可能に収納し、この筒部材２内で球体１を圧縮ばね３により支持させ、筒部材２の他端内部にばね支持ネジ４をねじ込んで、圧縮ばね３の他端部を支持させ、このばね支持ネジ４の下端に、支持台１３をナット１５のねじ込みにより取り付ける取付ネジ５を設け、この取付ネジ５の下端面にばね支持ネジ４をねじ込むための回動操作溝１２を設けた構成である。
【００２５】
これにより、球体１は筒部材２内で圧縮ばね３に支持された状態で回動自在になり、その球体１に取り付けられた展示台７の向きを簡単かつ迅速に変更することが可能になる。また、圧縮ばね３は展示物の重量、展示台の大きさ、支柱の長さなどに対応する任意の反発力のあるばねを使用し、かつ反発力はばね支持ネジ４のねじ込み操作によって任意レベルに微調整できる。従って、展示台７の重量およびこの展示台７に載置される商品等の重量が大きい場合でも、その重量を受けて展示台７が自然に傾くことを回避することができる。
【００２６】
このばね支持ネジ４による圧縮ばね３の反発力の微調整は、そのばね支持ネジ４下面に設けられた回動操作溝１２にドライバなどの冶具を利用して回動することにより、容易かつ迅速に行うことができる。そして、ばね支持ネジ４下端の取付ネジ５を、支持台１３などの取付部材に形成された取付孔１４に貫通させ、その取付部材を挟むように取付ネジ５端にナットをねじ込むことで、支持台１３に対する展示台７の支持、固定を容易、迅速に実施するこができることとなる。
【産業上の利用可能性】
【００２７】
本考案は、常時、商品や広告物等の展示方向を簡単かつ瞬時に変更または調整できるという効果を有し、商品や商品案内文書等を展示台に載せて展示するのに用いる展示装置等に有用である。
【図面の簡単な説明】
【００２８】
【図１】本考案の実施形態による展示装置を示す斜視図である。
【図２】本考案の実施形態による展示装置の要部を示す縦断面図である。
【図３】図１における球体および筒部材を示す縦断面図である。
【図４】図１におけるばね支持ネジを一部破断して示す正面図である。
【符号の説明】
【００２９】
１  球体
２  筒部材
３  圧縮ばね
４  ばね支持ネジ
５  取付ネジ
６  ネジ軸
６ａ  ネジ部
７  展示台
８  支柱
９  係止縁
１０  雌ネジ
１１  突起
１２  回動操作溝
１３  支持台
１４  取付孔
１５  ナット
【図１】
0003148381.tif 000003
【図２】
0003148381.tif 000004
【図３】
0003148381.tif 000005
【図４】
0003148381.tif 000006